(57)【要約】      （修正有）【課題】心拍数探知ブレスレットを提供する。【解決手段】心拍数探知ブレスレット１であって、第一電極片１１及び第二電極片１２を設置する本体１０、プロセッサーモジュール、センサー４０、ベルト状体６０を備える。第一電極片１１は本体１０下表面に設置し、第二電極片１２は本体１０の非下表面の任意の表面に設置する。プロセッサーモジュールは本体１０内に設置し、第一電極片１１、第二電極片１２にそれぞれ接続する。センサー４０は本体１０に設置し、プロセッサーモジュールに接続する。ベルト状体６０は本体１０と結合し、人体への固定に用いる。心拍数探知ブレスレット１は、使用者が計測姿勢をとり、センサー４０に接近或いは触れると、自動的にオンになり、計測後には自動的にオフになる。使用時の動作がスムーズで、しかも節電も可能である。【選択図】図２
0003192479.tif 000002
【実用新案登録請求の範囲】
【請求項１】
心拍数探知ブレスレットであって、本体、プロセッサーモジュール、センサー、ベルト状体を備え、
前記本体上には、第一電極片、第二電極片を設置し、前記第一電極片は、前記本体下表面に設置し、前記第二電極片は、前記本体の非下表面の任意の表面に設置し、
前記プロセッサーモジュールは、前記本体内に設置し、前記第一電極片、前記第二電極片にそれぞれ接続し、
前記センサーは、前記本体に設置し、前記プロセッサーモジュールに接続し、前記センサーに接近、或いは接触すると、前記心拍数探知ブレスレットをオンにすることができ、  前記ベルト状体は、前記本体と結合し、人体への固定に用いることを特徴とする心拍数探知ブレスレット。
【請求項２】
前記第二電極片及び前記センサーは、前記本体上の相対する両側辺にそれぞれ設置し、  前記センサーは、前記本体外表面に設置することを特徴とする請求項１に記載の心拍数探知ブレスレット。
【請求項３】
前記センサーと前記第二電極片は、前記本体表面で隣接し、
前記センサーは、前記本体外表面に設置することを特徴とする請求項１に記載の心拍数探知ブレスレット。
【請求項４】
前記センサーと前記第二電極片は、前記本体表面で隣接し、
前記センサーは、前記本体内に設置することを特徴とする請求項１に記載の心拍数探知ブレスレット。
【請求項５】
前記ベルト状体は、収容設置腔を備え、
前記本体は、前記収容設置腔に取り外し可能状に設置され、
前記収容設置腔は、前記第一電極片に対応する第一開口、前記第二電極片に対応する第二開口を形成し、
前記収容設置腔内には、少なくとも１個の逆フックを設置し、
前記本体上側辺には、前記逆フックに対応するトレンチを設置することを特徴とする請求項４に記載の心拍数探知ブレスレット。
【請求項６】
前記本体には、上蓋と下蓋を設置し、
前記上蓋と前記下蓋との間には、回路板を設置し、
前記回路板には、前記プロセッサーモジュールを搭載し、
前記第一電極片は、前記下蓋表面に設置し、前記第二電極片は、前記上蓋表面に設置し、
前記第一電極片は、第一弾性端子を通して、前記回路板に連接し、前記第二電極片は、第二弾性端子を通して、前記回路板に連接することを特徴とする請求項５に記載の心拍数探知ブレスレット。
【請求項７】
前記本体内には、電源モジュールを設置し、前記プロセッサーモジュールに接続し、
前記本体上には、導電する複数の外部接触点を設置し、前記複数の外部接触点は、前記電源モジュール及び前記プロセッサーモジュールにそれぞれ接続し、
前記電源モジュールは、充電回路、電池、電圧安定器、エネルギー管理回路を備え、
前記充電回路の正極及び負極は、前記各１個の外部接触点にそれぞれ連接し、前記充電回路は、前記電池及び前記プロセッサーモジュールにそれぞれ接続し、
前記電池は、エネルギー管理回路及び電圧安定器に接続し、
前記エネルギー管理回路及び前記電圧安定器は、前記プロセッサーモジュールにそれぞれ接続することを特徴とする請求項６に記載の心拍数探知ブレスレット。
【請求項８】
前記複数の外部接触点は、前記下蓋片側に設置し、前記回路板上には、複数の第三弾性端子を設置し、
前記第三弾性端子は、前記外部接触点を圧迫し、
前記回路板上には、少なくとも１個の第四弾性端子を設置し、
前記第四弾性端子は、前記センサーを圧迫することを特徴とする請求項７に記載の心拍数探知ブレスレット。  
【請求項９】
前記本体内には、ＲＦリーダー、振動器、ブザーを設置し、
前記ＲＦリーダー、前記振動器、前記ブザーは、それぞれ前記プロセッサーモジュールに接続し、
前記ＲＦリーダーは、少なくとも１個のＲＦカードを感知することを特徴とする請求項４に記載の心拍数探知ブレスレット。
【請求項１０】
前記本体内には、加速度計を設置し、
前記加速度計は、前記プロセッサーモジュールに接続することを特徴とする請求項４に記載の心拍数探知ブレスレット。
【考案の詳細な説明】
【技術分野】
【０００１】
本考案は、心拍数探知ブレスレットに関し、操作が便利な電極式心拍数探知ブレスレットに関する。
【背景技術】
【０００２】
心電図（Ｅｌｅｃｔｒｏｃａｒｄｉｏｇｒａｐｈｙ、ＥＣＧ）を通して、その時の心臓の反応を記録し、個人の生理的状況を分析することができる。
この技術により、使用者は自身の生理的反応を理解し、適当に対処することができるため、運動領域或いは医療領域で幅広く応用されている。
【０００３】
ＥＣＧ心電図は、心臓の一回の拍動毎の異なる機能段階の数個の分量により構成する。
しかも、生理組織の電気方向に基づきプロジェクション（Ｐｒｏｊｅｃｔｉｏｎ）する。
一人一人の生理組織が心電情報に対して発生する影響は異なるため、ノーマルバリエーション（Ｎｏｒｍａｌ  ｖａｒｉａｔｉｏｎ）を生じる。
このバリエーションを通して、誰もが、心電図において異なる固定ディテールを求めることができる。
この生物的特徴のディテールは、ドアロック解除、携帯電話ロック解除、ロック解除ソフトなどの固体識別の分野に既に応用されている。
【０００４】
そのため、身体に装着する心拍計測器の応用領域は、医療、運動、日常生活で必要な機能に広がっている。
【０００５】
電極式心拍計測器は身体に装着しての携帯に適し、使用者の生活における補助ツールとなっている。
しかし、電極式心拍計測器は使用時の電力消費量が大きい。
そのため、節電するために、未使用時には、通常装置をオフにしている。
使用者に直感的な計測習慣を提供するため、使用前に、心拍計測器のスイッチを先ずオンにしなければならないのは、余分である。
よって、本考案の心拍数探知ブレスレットは、使用者が電極に触れている時には、装置はオンの状態を保持する。  
【考案の概要】
【考案が解決しようとする課題】
【０００６】
本考案は、上述の問題に鑑みてなされたものであり、その目的は、使用者が電極に触れている時には、装置はオンの状態を保持する心拍数探知ブレスレットを提供することにある。
【課題を解決するための手段】
【０００７】
本考案による心拍数探知ブレスレットは、使用者が電極に触れている時には、装置はオンの状態を保持する心拍数探知ブレスレットであって、本体、プロセッサーモジュール、センサー、ベルト状体を備える。
本体には、第一電極片、第二電極片を設置し、第一電極片は、本体下表面に設置し、第二電極片は、本体の非下表面の任意の表面に設置する。
プロセッサーモジュールは、本体内に設置し、第一電極片、第二電極片にそれぞれ接続する。
センサーは、本体に設置し、プロセッサーモジュールに接続する。
ベルト状体は、本体と結合し、人体への固定に用いる。
【考案の効果】
【０００８】
一実施形態では、第二電極片及びセンサーは、本体上の相対する両側辺にそれぞれ設置し、センサーは、本体外表面に設置する。
【０００９】
別種の実施形態では、センサーと第二電極片は、本体表面で隣接し、センサーは、本体外表面に設置する。
【００１０】
別種の実施形態では、センサーと第二電極片は、本体表面で隣接し、センサーは、本体内に設置する。
【００１１】
ベルト状体は、収容設置腔を備える。
本体は、収容設置腔に取り外し可能状に設置される。
収容設置腔は、第一電極片に対応する第一開口、第二電極片に対応する第二開口を形成する。
収容設置腔内には、少なくとも１個の逆フックを設置する。
本体上側辺には、逆フックに対応するトレンチを設置する。
【００１２】
本体には、上蓋と下蓋を設置する。
上蓋と下蓋との間には、回路板を設置する。
回路板には、プロセッサーモジュールを搭載する。
第一電極片は、下蓋表面に設置し、第二電極片は、上蓋表面に設置する。
第一電極片は、第一弾性端子を通して、回路板に連接し、第二電極片は、第二弾性端子を通して、回路板に連接する。
【００１３】
本体内には、電源モジュールを設置し、プロセッサーモジュールに接続する。
本体上には、導電する複数の外部接触点を設置し、複数の外部接触点は、電源モジュール及びプロセッサーモジュールにそれぞれ接続する。
電源モジュールは、充電回路、電池、電圧安定器、エネルギー管理回路を備える。
充電回路の正極及び負極は、各１個の外部接触点にそれぞれ連接し、充電回路は、電池及びプロセッサーモジュールにそれぞれ接続する。
電池は、エネルギー管理回路及び電圧安定器に接続し、エネルギー管理回路及び電圧安定器は、プロセッサーモジュールにそれぞれ接続する。
【００１４】
複数の外部接触点は、下蓋片側に設置し、回路板上には、複数の第三弾性端子を設置する。
第三弾性端子は、外部接触点を圧迫する。
回路板上には、少なくとも１個の第四弾性端子を設置する。
第四弾性端子は、センサーを圧迫する。
【００１５】
本体内には、ＲＦリーダー、振動器、ブザーを設置する。
ＲＦリーダー、振動器、ブザーは、それぞれプロセッサーモジュールに接続する。
ＲＦリーダーは、少なくとも１個のＲＦカードを感知する。
【００１６】
本体内には、加速度計を設置し、
加速度計は、プロセッサーモジュールに接続する。
【００１７】
本考案心拍数探知ブレスレットは、使用者が計測姿勢をとり、センサーに接近或いは触れると、自動的にオンになり、計測後には自動的にオフになる。その使用時の動作がスムーズで、しかも節電も可能で、心拍数探知ブレスレットの実用性を向上させることができる。
【図面の簡単な説明】
【００１８】
【図１】本考案による心拍数探知ブレスレットの本体内の回路ブロックチャートである。
【図２】本考案による心拍数探知ブレスレットの立体図である。
【図３】本考案の第一実施形態による心拍数探知ブレスレットにおいて、センサー及び第二電極片の設置方式を示す局部拡大図である。
【図４】本考案の第二実施形態による心拍数探知ブレスレットにおいて、センサー及び第二電極片の第二種設置方式を示す局部拡大図である。
【図５】本考案の第三実施形態による心拍数探知ブレスレットにおいて、センサー及び第二電極片の第三種設置方式を示す局部拡大図である。
【図６】本考案の一実施形態による心拍数探知ブレスレットの本体及びベルト状体が取り外し構造を備えることを示す立体図である。
【図７】本考案の一実施形態による心拍数探知ブレスレットの本体の断面図である。
【考案を実施するための形態】
【００１９】
本考案の一実施形態による心拍数探知ブレスレットを図面に基づいて説明する。
【００２０】
図１、２に示すように、本考案心拍数探知ブレスレット１は、本体１０、マイクロプロセッサー２０、心拍計測器３０、センサー４０、無線伝送モジュール５０、ベルト状体６０を備える。マイクロプロセッサー２０、心拍計測器３０、センサー４０、無線伝送モジュール５０は、本体１０内に設置し、プロセッサーモジュールを構成する。
ベルト状体６０と本体１０とは、結合し、人体への固定に用いる。
マイクロプロセッサー２０は、心拍計測器３０、センサー４０、無線伝送モジュール５０に接続する。
【００２１】
本体１０上には、第一電極片１１、第二電極片１２を設置する。
心拍計測器３０は、第一電極片１１、第二電極片１２にそれぞれ接続する。
本実施形態では、第一電極片１１は、本体１０下表面に設置し、第二電極片１２は、本体１０の非下表面の任意の表面に設置する。
【００２２】
使用者が心拍数探知ブレスレット１を装着すると、第一電極片１１は、使用者の腕の皮膚に密着する。
もう一方の手で第二電極片１２に触れると、左右の手が繋がり、心臓の回路を通して、心拍計測器３０は、心電信号を計測することができる。
【００２３】
本体１０内には、電源モジュール７０を備え、マイクロプロセッサー２０を接続する。
本体１０上には、導電する複数の外部接触点１３を設置する（図７参照）。
複数の外部接触点１３は、電源モジュール７０及びマイクロプロセッサー２０にそれぞれ接続する。
電源モジュール７０は、充電回路７１、電池７２、電圧安定器７３、エネルギー管理回路７４を備える。
【００２４】
充電回路７１の正極及び負極は、各１個の外部接触点１３にそれぞれ連接する。
充電回路７１は、電池７２及びマイクロプロセッサー２０にそれぞれ接続する。
電池７２は、エネルギー管理回路７４及び電圧安定器７３に接続する。
エネルギー管理回路７４及び電圧安定器７３は、マイクロプロセッサー２０にそれぞれ接続する。
【００２５】
図３に示すように、本実施形態では、センサー４０は、本体１０内に設置し、第二電極片１２と隣接する。
指で第二電極片１２に触れた時、センサー４０に近いため、マイクロプロセッサー２０は、センサー４０が感知した信号を受け取ることができる。
これにより、心拍計測器３０は、使用者の身体が形成する回路において、同時に心拍計測器３０の電源を、オンとすることができる。
【００２６】
図４に示すように、本考案の第二実施形態において、第二電極片１２及びセンサー４０は、本体１０上の相対する両側辺にそれぞれ設置する。
使用者が心拍数を計測する時には、人差指及び親指（或いは、同一の手の人差指と他の指）を使用し、同時に、本体１０上の第二電極片１２及びセンサー４０（本体１０を支点として）を挟持する。
この動作により、同時に左右の手と心臓は回路を形成し、ダイレクトに心拍計測器３０の電源を起動することができる。
これにより、直感的な操作を達成することができ、しかも指で挟持する時に本体１０にいくらか力を加えれば、指の腹と第二電極片１２との接触面積は拡大する。
【００２７】
図５に示すように、本考案の第三実施形態において、センサー４０と第二電極片１２は、本体１０表面において隣接する。
指で第二電極片１２に触れると、同時にセンサー４０に接触し、こうして心拍計測器３０は作動を開始する。
【００２８】
本実施形態中のセンサー４０は、キャパシタ式センサーを優先的に選択する。
それは、消費電力が低く、反応時間が速いという特性を備え、一定の感知距離を備え、節電可能である。
しかも、非接触状態時には、マイクロプロセッサー２０は、信号に基づき、心拍計測器３０をオフにすることができる。
センサー４０は、接触或いは感知により即信号を発生するセンサー４０とすることができるが、これに限定しない。
【００２９】
マイクロプロセッサー２０が、心拍計測器３０をオフにするかどうかを判断する方式は、心拍計測器３０が提供する信号に基づき、人体が回路を形成しているかどうかを判断するものである。
こうして、心拍計測器３０の電源オフを選択し、或いはセンサー４０が提供する信号により、心拍計測器３０をオフにするタイミングを判断する。
【００３０】
計測の完成後には、マイクロプロセッサー２０は、心拍計測器３０が計測したデータを読み取った後、無線伝送モジュール５０を通して、腕時計、携帯電話、或いはコンピューターなどの電子装置に伝送する。
これにより、電子装置は、心拍数データを表示し、或いは電子装置は、バイオメトリクスを形成し、バイオメトリクスデータバンクと照合して、予定の動作を行う。
【００３１】
無線伝送モジュール５０は、無線ＲＦ識別信号、ブルートゥース信号、Ｚ−ｗａｖｅ信号、ピーク信号、無線USB信号、或いはその組合せの信号発送器を選択することができる。
これにより、計測データは、無線方式を通して、装置上の信号発送器に伝送される。
【００３２】
図１に示すように、心拍数探知ブレスレット１機能は、既に生活に普及しており、使用者の長期装着に適している。
心拍数探知ブレスレット１の利便性を拡大するため、一実施形態では、本体１０内に、ＲＦリーダー１４、振動器１４０、ブザー１４１を設置する。
ＲＦリーダー１４、振動器１４０、ブザー１４１は、それぞれマイクロプロセッサー２０に接続する。
ＲＦリーダー１４は、少なくとも１個のＲＦカード２を感知する。
ＲＦカード２は、使用者指定の物品上に設置する。
物品が心拍数探知ブレスレット１から一定の距離を離れると、マイクロプロセッサー２０は、振動器１４０或いはブザー１４１を駆動し、警告を表示し、これにより外出時に、携行物品の遺失を防止することができる。
【００３３】
図６に示すように、本体１０を取り外して充電するため、ベルト状体６０は収容設置腔６１を備える。
本体１０は、収容設置腔６１に取り外し可能状に設置する。
ベルト状体６０は、力を受けると変形しやすいプラスチック或いは硬質ゴムにより構成する。
収容設置腔６１は、第一電極片１１に対応する第一開口６２、第二電極片１２に対応する第二開口６３を形成する。
第一開口６２と第二開口６３は、収容設置腔６１内より、ベルト状体６０外表面へと貫通する。
収容設置腔６１内には、少なくとも１個の逆フック６４を設置する。
本体１０上側辺には、逆フック６４に対応するトレンチ１５を設置する。
第一開口６２側辺には、ガード片６５を備える。
【００３４】
本体１０は、第一開口６２により、収容設置腔６１内に設置する。
その過程において、逆フック６４は、弾性変形を呈し、トレンチ１５内に入る。
設置後は、ガード片６５は、本体１０が収容設置腔６１から外れないよう阻止する。
第一電極片１１は、収容設置腔６１内より、第一開口６２表面に突出する。
第二電極片１２は、収容設置腔６１内より第二開口６３表面に突出する。
【００３５】
図１に示すように、本体１０内にはさらに、加速度計８０を設置する。
加速度計８０は、マイクロプロセッサー２０に接続する。
これにより、心拍数探知ブレスレット１の電子装置は、使用者の活動情報を処理することができる。
【００３６】
図７に示すように、具体的な実施形態においては、本体１０の外殻は、上蓋９０１と下蓋９０２により組成する。
上蓋９０１と下蓋９０２との間には、回路板９０３を設置する。
回路板９０３には、マイクロプロセッサー２０、心拍計測器３０、無線伝送モジュール５０、電源モジュール７０を搭載する。
第一電極片１１は、下蓋９０２表面に設置し、第二電極片１２は、上蓋９０１表面に設置する。
【００３７】
第一電極片１１は、第一弾性端子９０４を通して、回路板９０３に連接する。
第二電極片１２は、第二弾性端子９０５を通して、回路板９０３に連接する。
複数の外部接触点１３は、下蓋９０２片側に設置し、回路板９０３上には、複数の第三弾性端子９０６を設置する。
第三弾性端子９０６は、外部接触点１３を圧迫し、これにより回路板９０３は、外界と電気的連接を形成する。
【００３８】
センサー４０は、キャパシタ式センサーで、上蓋９０１内側に設置し、第二電極片１２周囲を取り囲む。
センサー４０は、第四弾性端子９０７を通して、回路板９０３に連接する。
これにより、指で第二電極片１２に触れると、感知信号を得ることができる。
【００３９】
第一弾性端子９０４、第二弾性端子９０５、第三弾性端子９０６、第四弾性端子９０７は、弾力片、或いはポゴピン（Ｐｏｇｏ  Ｐｉｎ）などの金属弾性部品である。
これにより、上蓋９０１と下蓋９０２とは、回路板９０３を取り外す時に、部品の制限を受けずに、そのまま分離可能となる。
【００４０】
上記したように、本考案心拍数探知ブレスレット１は、使用者が計測姿勢をとると、心拍計測器３０を自動的にオンになり、計測後には自動的にオフになる。
使用時の動作はスムーズで、しかも節電でき、心拍数探知ブレスレット１の実用性を向上させることができる。
【００４１】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００４２】
１  心拍数探知ブレスレット
１０  本体
１１  第一電極片
１２  第二電極片
１３  外部接触点
１４  ＲＦリーダー
１４０  振動器
１４１  ブザー
１５  トレンチ
２０  マイクロプロセッサー
３０  心拍計測器
４０  センサー
５０  無線伝送モジュール
６０  ベルト状体
６１  収容設置腔
６２  第一開口
６３  第二開口
６４  逆フック
６５  ガード片
７０  電源モジュール
７１  充電回路
７２  電池、
７３  電圧安定器
７４  エネルギー管理回路、
８０  加速度計
９０１  上蓋
９０２  下蓋
９０３  回路板
９０４  第一弾性端子
９０５  第二弾性端子
９０６  第三弾性端子
９０７  第四弾性端子
２  ＲＦカード
【図１】
0003192479.tif 000003
【図２】
0003192479.tif 000004
【図３】
0003192479.tif 000005
【図４】
0003192479.tif 000006
【図５】
0003192479.tif 000007
【図６】
0003192479.tif 000008
【図７】
0003192479.tif 000009